(57)【要約】      （修正有）【課題】作業者が建物のバルコニーにおいて、そのバルコニー部での洗浄等の作業（工事）をするに際し、その作業により飛散した飛散物が、建物外部へ飛散することを防止するとともに、作業者の墜落を防止する。【解決手段】養生シート１１の上端部１１ａを、洗浄等の作業を行なう作業階のバルコニー２Ａより上階のバルコニー２Ｂ部に取外し可能に固定し、養生シート１１の上下方向の中間部を作業階のバルコニー２Ａの外側に配置し、養生シート１１の下端部１１ｂを、作業階のバルコニー２Ａより下の階のバルコニー２Ｃ又は作業階のバルコニー２Ａにおける手摺り４の内側に配置固定する。【選択図】図２
2012097425.tif 000002
【特許請求の範囲】
【請求項１】
作業をする作業階を養生シートで被覆する建物工事における養生装置であって、前記養生シートの上端部を作業階より上の階のバルコニー部に取外し可能に固定し、前記養生シートの下端部をバルコニーの手摺りの内側において取外し可能に固定することを特徴とする建物工事における養生装置。
【請求項２】
前記養生シートの上端部を、作業をする作業階より上の階のバルコニー部に取外し可能に固定し、前記養生シートの上下方向の中間部を前記作業階のバルコニーにおける手摺りの外側に配置し、前記養生シートの下端部を、前記作業階のバルコニーより下に位置する階におけるバルコニーの手摺りの内側において取外し可能に固定することを特徴とする請求項１記載の建物工事における養生装置。
【請求項３】
前記養生シートの上端部を、前記作業階より１つ上に位置する階のバルコニー部に取外し可能に固定し、前記養生シートの下端部を、前記作業階のバルコニーより１つ下に位置する階におけるバルコニーの手摺りの内側において取外し可能に固定することを特徴とする請求項２記載の建物工事における養生装置。
【請求項４】
前記養生シートの上端部をバルコニーの手摺りに取付けて配置し、前記養生シートの下端部をバルコニーの手摺りに取付けて配置することを特徴とする請求項１又は２又は３記載の建物工事における養生装置。
【請求項５】
前記養生シートの上縁に沿って支持線材を取付け、該養生シートの下縁に沿って下部線材を取付け、これら支持線材と下部線材を前記手摺りに取外し可能に取付けることを特徴とする請求項１乃至４のいずれか１項に記載の建物工事における養生装置。
【発明の詳細な説明】
【技術分野】
【０００１】
本発明は、建物工事における養生装置に関するもので、詳しくは集合住宅等の建物のバルコニー部での建物外壁面の洗浄、補修、塗装等の作業において発生した飛散物の建物外部への飛散を防止したり、作業者の墜落を防止する建物工事における養生装置に関する。
【背景技術】
【０００２】
従来、マンション等の集合住宅における建物の外壁面の洗浄、補修、塗装等の作業において、その建物の周方向全体に架台を昇降可能に設けるとともに該架台を屋上からワイヤロープによって昇降するようにし、かつ、該架台の外端部と屋上部間に養生ネットを張り、前記の洗浄、補修、塗装等の作業を行なうようにして、その洗浄液等の飛散物の建物外部への飛散を防止する飛散防止装置が知られている。
【発明の概要】
【発明が解決しようとする課題】
【０００３】
前記従来の飛散防止装置においては、建物の左右方向の略全長に亘る架台を設け、かつ、建物全体を覆う養生ネットを必要とすることから、飛散防止設備が大型となり、その設置の時間、手間、費用が多くなる問題がある。
【０００４】
そこで、本発明は、作業者が建物のバルコニーにおいて、そのバルコニー部での洗浄等の作業（工事）をするに際し、その作業により飛散した飛散物が、建物外部へ飛散することを防止するとともに、作業者の墜落を防止する簡易かつ有効な建物工事における養生装置を提供することを目的とする。
【課題を解決するための手段】
【０００５】
前記の課題を解決するために、請求項１記載の発明は、作業をする作業階を養生シートで被覆する建物工事における養生装置であって、前記養生シートの上端部を作業階より上の階のバルコニー部に取外し可能に固定し、前記養生シートの下端部をバルコニーの手摺りの内側において取外し可能に固定することを特徴とするものである。
【０００６】
請求項２記載の発明は、請求項１記載の発明において、前記養生シートの上端部を、作業をする作業階より上の階のバルコニー部に取外し可能に固定し、前記養生シートの上下方向の中間部を前記作業階のバルコニーにおける手摺りの外側に配置し、前記養生シートの下端部を、前記作業階のバルコニーより下に位置する階におけるバルコニーの手摺りの内側において取外し可能に固定することを特徴とするものである。
【０００７】
請求項３記載の発明は、請求項２記載の発明において、前記養生シートの上端部を、前記作業階より１つ上に位置する階のバルコニー部に取外し可能に固定し、前記養生シートの下端部を、前記作業階のバルコニーより１つ下に位置する階におけるバルコニーの手摺りの内側において取外し可能に固定することを特徴とするものである。
【０００８】
請求項４記載の発明は、請求項１又は２又は３記載の発明において、前記養生シートの上端部をバルコニーの手摺りに取付けて配置し、前記養生シートの下端部をバルコニーの手摺りに取付けて配置することを特徴とするものである。
【０００９】
請求項５記載の発明は、請求項１乃至４のいずれか１項に記載の発明において、前記養生シートの上縁に沿って支持線材を取付け、該養生シートの下縁に沿って下部線材を取付け、これら支持線材と下部線材を前記手摺りに取外し可能に取付けることを特徴とするものである。
【発明の効果】
【００１０】
本発明によれば、作業階のバルコニーの外側部を養生シートで被覆でき、作業階のバルコニー内での洗浄作業（工事）等で飛散した飛散物が建物の外側へ飛散することを防止できる。
【００１１】
更に、養生シートの下端部をバルコニーの手摺りの内側に配置することにより、前記作業階のバルコニーから飛散し、養生シートに当った飛散物がバルコニーへ誘導され、飛散物の建物外部への飛散の防止が一層向上する。
【００１２】
更に、養生シートの上端部と下端部をバルコニー部に固定したので作業者が作業階の手摺りを越えて墜落することを防止できる。
【図面の簡単な説明】
【００１３】
【図１】本発明の実施例１を示す斜視図。
【図２】図１の縦断面図。
【図３】図１の養生シート体の正面図。
【図４】図３の部分拡大図。
【図５】本発明の実施例２を示す要部平断面図。
【図６】本発明の実施例３を示す養生シート体の正面図。
【図７】本発明の実施例４を示す縦断面図。
【図８】本発明の実施例５を示す縦断面図。
【図９】本発明の実施例６を示す縦断面図。
【図１０】本発明の実施例７を示す縦断面図。
【図１１】本発明の実施例８を示す縦断面図。
【図１２】本発明の実施例９を示す縦断面図。
【図１３】本発明の実施例１０を示す縦断面図。
【図１４】本発明の養生シートを張設する建物を示す斜視図。
【発明を実施するための形態】
【００１４】
本発明を実施するための形態を図１乃至図１３に示す実施例に基づいて説明する。
［実施例１］
本発明は、建物のバルコニー、ベランダ、開放廊下、屋外階段など、建物の外側に開口する部分を有する場所に適用することができるが、実施例では、例えば、図１４に示す建物のバルコニーに適用した例により説明する。
【００１５】
高層の集合住宅等の建物１における各住戸には夫々バルコニー２を有し、その床板３が外部へ突出し、その外端に手摺り４が立設されている。図１４に示す手摺り４は、一部が開口する面格子の上部に笠木４ａを有する手摺りを示している。
【００１６】
前記各バルコニー２の手摺り４の上端と、その上階のバルコニーの床板３との間には、外側開口部５を有する。
【００１７】
前記各バルコニー２には、隣戸との境界部分に位置して隔板（パーテーション）６が配置固設されている。
【００１８】
このようなバルコニー２において、そのバルコニー２内で天井や壁等の洗浄、補修、塗装作業を行うと、その洗浄液や粉粒物や塗料等が飛散（これらを飛散物という）し、その飛散物が、前記外側開口部５を通じて建物外へ飛散したり、バルコニー２で作業する作業者が、手摺り４を越えて墜落するおそれがある。
【００１９】
そこで本発明の実施例１は、図１乃至図４に示す養生装置としたものである。
なお、図１乃至図４の実施例において、作業をする階のバルコニーを作業階のバルコニー２Ａとし、このバルコニー２Ａより１つ上の階のバルコニーを上階のバルコニー２Ｂとし、バルコニー２Ａより１つ下のバルコニーを下階のバルコニー２Ｃとする。また、図において、Ａ側を手摺り４の内側とし、Ｂ側を手摺り４の外側とし、バルコニーの長手方向を左右方向とする。
【００２０】
図１乃至図４において、作業階のバルコニー２Ａの上階のバルコニー２Ｂと、下階のバルコニー２Ｃ間には、折曲可能な幕状部材である養生シート１１が配置される。
【００２１】
前記養生シート１１は、図３に示すように、方形の所望の大きさに形成されるもので、図の実施例では、上下方向（建物の高さ方向を上下方向とする）の長さＨ１が、図２に示すように、前記上階のバルコニー２Ｂにおける手摺り４の上端、すなわち笠木４ａ近傍から下階のバルコニー２Ｃにおける床板３までの高さ（長さ）Ｈ２よりも若干長い長さに設定され、また左右（バルコニーの長手方向である図３のＣ−Ｄ方向）幅Ｗ１は所望の長さに設定されている。図の実施例では、左右幅Ｗ１が前記隣接する両隔板６，６間の長さＷ２と略同長に設定されている。この左右幅Ｗ１は、図の実施例の長さに限るものではなく、Ｗ２の長さよりも長くても、短くてもよい。
【００２２】
前記の養生シート１１は、図１に示すように複数枚、左右方向に連接して配置される。
前記養生シート１１は、前記バルコニー２Ａでの洗浄等の作業により飛散した洗浄液、粉粒物、塗料が、その一方の面（内面）側から他方の面（外面）側へ通過して飛散することを防止（抑制）する折曲可能な幕状の部材であり、折曲可能なシート、ネット、布などを含むものである。したがって、説明上、本発明では、これらを総称して養生シートという。
【００２３】
例えば、この養生シート１１としては、一般にブルーシートと称される樹脂シートや布製のシート、防音シート等を用い、ネットとしては、所望の網目のネットを使用する。このネットは、その網目が、対象とする飛散物の飛散を防止（抑制）できるものを選定して使用するもので、例えば１〜１．５ｍｍ程の細かい網目ものを使用する。
【００２４】
また、対象とする飛散物によって、シートやネット等を選定し、例えば、洗浄液の飛散防止の場合はシートや布を用い、粉粒物や塗料の飛散防止の場合は、シートやネットや布を使用する。
【００２５】
前記養生シート１１の左右方向（Ｃ−Ｄ方向）の中央部には、その下部に位置して、下端が開口するスリット（切れ目）１２が上下方向に形成されている。
【００２６】
次に前記養生シート１１の取付構造等について説明する。
各養生シート１１の上端より上方には、その上縁に沿って、複数の養生シート１１にわたるワイヤ等からなる支持線材３１が配置され、養生シート１１の下端より下方には、その下縁に沿って、複数の養生シート１１にわたるワイヤ等からなる下部線材３２が配置され、養生シート１１の左端より外方には、左縁に沿ってワイヤ等からなる案内線材３３が配置され、養生シート１１の右端より外方には、右縁に沿ってワイヤ等からなる案内線材３４が配置されている。また、前記左右の案内線材３３，３４の上端部は支持線材３１に取付具３６により取外し可能に連結され、下端部は下部線材３２に取付具３７により取外し可能に連結されている。この取付具３６，３７としては、図４に示すように、カラビナ或いは紐等を用いる。
【００２７】
前記各養生シート１１には、図３，４に示すように、その上縁に沿って上部取付手段１４が、下縁に沿って下部取付手段１５が、左側縁に沿って左側取付手段１６が、右側縁に沿って右側取付手段１７が夫々設けられている。該各取付手段１４〜１７は、実施例においては図４に示すように、養生シート１１側に係止穴２０を設け、該係止穴２０に係止する部分と、前記支持線材３１、下部線材３２、左右の案内線材３３，３４に取外し可能に取付けることができる係止環部を有する取付具１８からなる。この取付具１８としては、例えば取外し可能なカラビナを用いることができる。
【００２８】
そして、前記養生シート１１を、その上部取付手段１４の取付具１８を支持線材３１に取外し可能に取付け、下部取付手段１５の取付具１８を下部線材３２に取外し可能に取付け、左右の取付手段１６，１７の取付具１８を左右の案内線材３３，３４に取外し可能に取付けて張設するようになっている。
【００２９】
したがって、各養生シート１１は、その上端部１１ａが支持線材３１に支持され、下端部１１ｂが下部線材３２から分離された状態において、両案内線材３３，３４に案内されて昇降（上下動）可能に設けられている。
【００３０】
前記各養生シート１１の下部両隅部には、下部操作紐３８が、その上端３８ａを養生シート１１に連結して備えられている。更に、各養生シート１１の下部両隅部には、上部操作紐３９が、その下端側３９ａを養生シート１１に連結して備えられている。該両紐３８，３９の長さは、上階のバルコニー２Ｂと下階のバルコニー２Ｃにわたる長さよりも長く設定されている。
【００３１】
前記の構造により、図１乃至図４に示す養生シート体５０が構成されている。
次に、前記養生シート体５０の設置作業について説明する。
【００３２】
先ず、洗浄等を行う作業階のバルコニー２Ａに対して上階のバルコニー２Ｂにおける手摺り４の上部内側Ａに、図２，図３に示すように、支持線材３１を左右方向に配置し、該支持線材３１を、上階のバルコニー２Ｂの長手方向（左右方向）に所定の間隔で取付手段４１により手摺り４の上部に取外し可能に取付ける。該取付手段４１としては、締結バンドや紐やクランプ金具等を用いることができる。
【００３３】
また、下階のバルコニー２Ｃにおける手摺り４の下端部内側Ａに図２，図３に示すように下部線材３２を左右方向に配置し、該下部線材３２を、下階のバルコニー２Ｃの長手方向（左右方向）に所定の間隔で取付手段４１により手摺り４の下部に取外し可能に取付ける。該取付手段４１は前記と同様のものを用いる。
【００３４】
次で、左右の案内線材３３，３４の上端側を、例えばカラビナ等の取付具３６により前記支持線材３１に連結し、該両案内線材３３，３４の他方の側を、上階のバルコニー２Ｂの手摺り４の上部を乗り越えて作業階のバルコニー２Ａの手摺り４の外側に垂下させ、その下部を下階のバルコニー２Ｃの開口部５から下階の手摺り４の内側に入れ、その下端をカラビナなどの取付手段３７により前記下部線材３２に連結する。
【００３５】
次に、養生シート１１を上階のバルコニー２Ｂの床面に折り畳んで置いて、その養生シート１１の上端部１１ａをその係止穴２０に設けた取付具１８を支持線材３１に係止して、支持線材３１に図３に示すように取付ける。また、養生シート１１の下側に備えた、下部操作紐３８を、上階のバルコニー２Ｂの手摺りを越えて外側へ出し、その下端部３８ｂを下階のバルコニー２Ｃ内へ入れる。
【００３６】
また、上部操作紐３９の上端部３９ｂを支持線材３１又は手摺り４に仮止しておく。
次に、上階のバルコニー２Ｂにおいて、養生シート１１の左右に備えた取付手段１６，１７における取付具１８を、養生シート１１の下端部１１ｂ側のものから上端部１１ａ側のものへと順に左右の案内線材３３，３４に掛けながら、養生シート１１を案内線材３３，３４に案内させて、上階の手摺り４の外側Ｂ、作業階の手摺り４の外側Ｂを通して、下階のバルコニー２Ｃの手摺り４の内側Ａへ下降させて垂らす。このとき、下階のバルコニー２Ｃにおいて、作業者が、操作紐３８を下方へ引く。
【００３７】
そして、前記養生シート１１の下端部１１ｂを、取付具１８により下部線材３２に取付ける。
【００３８】
なお、隣接する他の養生シート１１も、その左右の取付具１８を、前記の養生シート１１の左右の取付具１８に対して交互に案内線材３３，３４に掛けて垂れ下げ、前記と同様にして張設する。
【００３９】
これにより、養生シート１１が、図１，２に示すように、その上端部１１ａが手摺り４に取外し可能に固定され、上階の手摺り４の上部内側Ａから外側Ｂへ出て、作業階２Ａの開口部５と手摺り４の外側Ｂを通り、下階の開口部５を通じて手摺り４の内側Ａに入り、その養生シート１１の下端部１１ｂが下階の手摺り４の内側下端部に取外し可能に固定される。
【００４０】
また、養生シート１１における隔壁６が位置する部分には、スリット１２が形成されているため、隔壁６の下部がスリット１２に入り、養生シート１１と隔壁６との干渉がなく、養生シート１１の下部を下階のバルコニー２Ｃ内へ配置することができる。
【００４１】
なお、養生シート体５０の設置作業の順序は、前記に限るものではなく、前記と異なる順序であってもよい。
【００４２】
また、前記の養生シート１１を建物から外す場合には、前記張設作業と逆の作業で行う。このとき、養生シート１１を上階のバルコニー２Ｂへ引き上げる場合には、作業者が上階のバルコニー２Ｂにおいて上部操作紐３９により引き上げる。
【００４３】
本実施例１の前記の構成により次のような効果を発揮できる。
前記のように、養生シート１１を、上階のバルコニー２Ｂから、作業階のバルコニー２Ａにおける開口部５と手摺り４の外側Ｂを通り、下階のバルコニー２Ｃにおける手摺り４の内側Ａへ垂設することにより、作業階のバルコニー２Ａにおける開口部５の外側全面と、手摺り４の外側全面と、下階のバルコニー２Ｃの開口部５と手摺り４の内側全面が被覆され、作業階のバルコニー２Ａでの洗浄等の作業において、前記上階の床板３と作業階の手摺り４との間の開口部５から外部方向へ飛散する飛散物は、養生シート１１に当り、建物外部への飛散が阻止される。更に、作業階２Ａの手摺り４の隙間から外側へ飛散した飛散物も養生シート１１に当る。
【００４４】
更に、養生シート１１に当った飛散物は、養生シート１１の内面に沿って下方へ流れ、下階のバルコニー２Ｃにおける手摺り４の内側Ａへ誘導され、建物外へ飛散することなく下階のバルコニー２Ｃの床面へ落下する。また、作業階のバルコニー２Ａの開口部５から上方へ飛散した飛散物の外側への飛散は、養生シート１１の上部によって阻止される。したがって、飛散物の建物外への飛散防止効果を高めることができる。
【００４５】
更に、養生シート１１の上端部１１ａを上階の手摺り４に配置固定し、下端部１１ｂを下階の手摺り４内に配置して固定したので、作業階のバルコニー２Ａにおいて、脚立に乗って作業する作業者が手摺り４を越えて墜落することを養生シート４により防止できる。
【００４６】
更に、養生シート１１の張設作業時には、養生シート１１を上階のバルコニー２Ｂに配置し、案内線材３３，３４を前記のように垂下した状態で、操作紐３８を下階のバルコニー２Ｃにおいて作業者が引き降すことにより、養生シート１１が案内線材３３，３４に案内されて下降するため、容易に張設することができる。
【００４７】
更に、案内線材３３，３４の上端と下端を、支持線材３１、下部線材３２を介して手摺り４，４に固着することにより、養生シート１１の張設作業時や、張設された養生シート１１が風で大きくあおられることがない。
【００４８】
更に、作業階において、養生シート１１が手摺り４の外側Ｂに配置されるため、作業階において、その手摺り４の洗浄作業等が良好に行える。
【００４９】
［実施例２］
図５は実施例２を示す。
【００５０】
本実施例２は、前記隣接する養生シート１１，１１における相互の接続部の一方において、その一方の養生シート１１の表面側に遮蔽片７０を、他方において、その他方の養生シート１１の裏面側に遮蔽片７１を、夫々相手側方向に突出させて設けたものである。該夫々の遮蔽片７０，７１は、夫々の基端７０ａ，７１ａを養生シート１１，１１に固着し、他端７０ｂ，７１ｂ側を開放し、各養生シート１１，１１の上下方向全長にわたる帯状に形成されている。
【００５１】
その他の構造は前記実施例１と同様である。
本実施例２においては、前記実施例１と同様の効果を発揮し、更に前記隣接する養生シート１１，１１間の隙間を遮蔽片７０，７１で塞いで、この隙間から飛散物が外部へ飛散することを防止できる。
【００５２】
［実施例３］
図６は実施例３を示す。
【００５３】
本実施例３は、前記実施例１における案内線材３３，３４を設けず、隣接する養生シート１１，１１相互を前記取付具１８で連結したものである。
【００５４】
その他の構造は前記実施例１と同様である。
本実施例３においては、前記案内線材３３，３４による効果以外の前記の効果を発揮できる。
なお、本実施例３において、前記実施例２の構造を用いてもよい。
【００５５】
［実施例４］
図７は、前記のバルコニーにおける面格子の手摺り４とは異なり、無穴状のコンクリート壁４ｂの上部に支柱４ｃによって、笠木４ａを備えた手摺り４に本発明を適用した実施例である。
【００５６】
本実施例４においては、上階のバルコニー２Ｂにおけるコンクリート壁４ｂと笠木４ａとの間の支柱４ｃに、前記の支持線材３１を前記と同様の手段で固着し、前記下部線材３２を、下階のバルコニー２Ｃにおける支柱４ｃに前記と同様の手段で固着したものである。
【００５７】
その他の構造と取付作業は前記実施例１と同様である。
本実施例４においても、前記実施例１と同様の効果を発揮できる。
なお、本実施例４において、前記実施例２，３の構造を適用してもよい。
【００５８】
［実施例５］
図８は、無穴状のコンクリート壁４ｂのみで手摺り４を構成するものに本発明を適用した実施例である。
【００５９】
本実施例５においては、前記支持線材３１を、上階のバルコニー２Ｂのコンクリート壁４ｂからなる手摺り４にアンカーなどの取付手段６０で固定し、前記下部線材３２を、下階のバルコニー２Ｃにおけるコンクリート壁４ｂからなる手摺り４にアンカーなどの取付手段６０で固定したものである。
【００６０】
その他の構造と取付作業は前記実施例１と同様である。
本実施例５においても、前記実施例１と同様の効果を発揮できる。
なお、本実施例５において、前記実施例２，３の構造を適用してもよい。
【００６１】
［実施例６］
図９は実施例６を示す。
【００６２】
本実施例６は、前記実施例１（図２）において、その養生シート１１の上下方向の中間部を、作業階のバルコニー２Ａにおける手摺り４に連結手段８０により連結したものである。
【００６３】
この連結手段８０としては、例えば、養生シート１１側に、その上下方向の中間部において、係止片８１を固着し、該係止片８１に形成した穴８２と手すり４とを紐８３等により連結する。また、前記係止片８１は、養生シート１１の左右方向に複数適宜間隔、例えば約６０ｃｍ間隔に設ける。
【００６４】
その他の構造は前記実施例１〜３と同様であるため、前記と同一部分には前記と同一符号を付してその説明を省略する。
【００６５】
本実施例６によれば、前記実施例と同様の作用、効果を発揮するとともに、更に、養生シート１１の上下方向の中間部を連結手段８０で手摺り４に連結することにより、この手摺り４から養生シート１１が外側へ大きく離れることが防止される。そのため、脚立に乗って作業する作業者が、建物外へ墜落することを、前記実施例１よりもより一層防止できる。
【００６６】
更に、養生シート１１の上下方向の中間部も手摺り４で支持されるため、前記実施例１に比べて、養生シート１１が風であおられることを一層抑制し、養生シート１１の風によるバタつき音を一層低減できる。
【００６７】
［実施例７］  
図１０は実施例７を示す。
【００６８】
本実施例７は、前記実施例４（図７）において、その養生シート１１の上下方向の中間部を、前記実施例６（図９）と同様に、作業階のバルコニー２Ａにおける手摺り４に連結手段８０により連結したものである。この実施例７では、連結手段８０は支柱４ｃに設けられており、この連結手段８０は、前記実施例６の連結手段８０と同様の構造である。
【００６９】
また、その他の構造は、前記実施例４（図７）と同様であるため、前記と同一部分には前記と同一符号を付してその説明を省略する。
本実施例７においても、前記実施例６と同様の作用、効果を発揮できる。
【００７０】
［実施例８］
図１１は実施例８を示す。
【００７１】
本実施例８は、前記実施例５（図８）において、その養生シート１１の上下方向の中間部を、前記実施例６（図９）と同様に、作業階のバルコニー２Ａにおける手摺り４に連結手段８０により連結したものである。この実施例８では、作業階のバルコニー２Ａにおける手摺り４の内側下部に、アンカーなどの取付手段６０を設け、養生シート１１の上下方向中間部に前記と同様の係止片８１を設け、この係止片８１の穴１０と前記取付手段６０とを紐８４で連結して連結手段８０を構成している。
【００７２】
また、その他の構造は、前記実施例５（図８）と同様であるため、前記と同一部分には前記と同一符号を付してその説明を省略する。
本実施例８においても、前記実施例６と同様の作用、効果を発揮できる。
【００７３】
［実施例９］
図１２は実施例９を示す。
【００７４】
前記各実施例は、養生シート１１の上端部１１ａを上階のバルコニー２Ｂ部に配置し、養生シート１１の上下方向の中間部を作業階２Ａの外側に配置し、養生シート１１の下端部１１ｂを下階のバルコニー２Ｃの手摺り４の内側に配置したが、本実施例９は、前記養生シート１１の上下方向の長さＨ１を、前記上階のバルコニー２Ｂにおける手摺り４の上端近傍から作業階２Ａの床板３までの高さＨ３よりも若干長い長さに設定し、図１２に示すように、養生シート１１の上端部１１ａを上階のバルコニー２Ｂの手摺り４に配置して取外し可能に固定し、養生シート１１の上下方向の中間部を作業階のバルコニー２Ａの開口部５から作業階のバルコニー２Ａ内に入れ、養生シート１１の下端部１１ｂを作業階におけるバルコニーの手摺り４の内側下部に配置して取外し可能に固定したものである。
【００７５】
更に、本実施例９は、面格子の手摺り４に適用したもので、その養生シート１１の上端部１１ａの取付位置と取付構造及び下端部１１ｂの取付位置と取付構造は、前記図２に示す実施例１と同様である。
【００７６】
その他の構造は、前記実施例１と同様であるため、前記と同一部分には前記と同一符号を付してその説明を省略する。
【００７７】
本実施例９においても、前記実施例１と同様に、作業階のバルコニー２Ａで飛散した飛散物を、養生シート１１によって外部へ飛散することを防止し、かつ、作業者の外部への墜落を防止できる。
【００７８】
［実施例１０］
図１３は実施例１０を示す。
【００７９】
本実施例１０は、前記実施例９（図１２）と同様に、養生シート１１の上端部１１ａを上階のバルコニー２Ｂ部に配置して取外し可能に固定し、養生シート１１の上下方向の中間部を作業階のバルコニー２Ａの開口部５から作業階のバルコニー２Ａ内に入れ、養生シート１１の下端部１１ｂを作業階におけるバルコニーの手摺り４の内側に配置して取外し可能に固定したものである。
【００８０】
更に、本実施例１０は、無穴状のコンクリート壁４ｂの上部に笠木４ａと支柱４ｃを有する手摺り４に適用したもので、その養生シート１１の上端部１１ａと下端１１ｂの手摺り４に対する取付は、前記実施例４（図７）と同様である。
【００８１】
その他の構造は、前記実施例４（図７）と同様であるため、前記と同一部分には前記と同一符号を付してその説明を省略する。
本実施例１０においても、前記実施例９と同様の作用、効果を発揮できる。
【００８２】
［実施例１１］
前記実施例は、支持線材３１と下部線材３２を設けて、これに養生シート１１の上端部と下端部を連結したが、前記支持線材３１及び下部線材３２を設けることなく、養生シート１１の上端部及び下端部を、紐等の取付具により直接手摺り４に取り付けるようにしてもよい。
【００８３】
その他の構造は、前記実施例と同様であるため、その説明を省略する。
本実施例１１においても、前記実施例９と同様の作用、効果を発揮できる。
【００８４】
［実施例１２］
前記養生シート１１の下端部１１ｂは、前記のように、バルコニーの手摺り４に固着することなく、下端部１１ｂをバルコニーの床板３上に配置して、これを重りで押えて取外し可能に固定しても良い。  
【００８５】
その他の構造は、前記実施例と同様であるため、その説明を省略する。
本実施例１１においても、前記実施例９と同様の作用、効果を発揮できる。
【００８６】
［実施例１３］
前記実施例では、養生シート１１の上端部１１ａを作業階のバルコニー２Ａより１つ上に位置するバルコニー２Ｂ部に取外し可能に固着したが、該養生シートの上端部１１ａを作業階のバルコニー２Ａより上に位置する所望の階のバルコニー部に取外し可能に固定してもよい。また、養生シート１１の下端部１１ｂを作業階のバルコニー２Ａより下に位置する所望の階におけるバルコニーの手摺りの内側に取外し可能に固定してもよい。
【００８７】
［実施例１４］
前記実施例１〜１３は、本発明を、建物のバルコニーでの作業における飛散防止に適用した場合について説明したが、本発明は、バルコニー以外の、手摺りを有するベランダ、開放廊下、屋外階段などでの工事における飛散防止にも適用できるものであり、本発明では説明上、これらを総称してバルコニーとしたものである。
【００８８】
したがって、本発明でのバルコニーとは、前記のベランダ、開放廊下、屋外階段などを含む意味である。
【符号の説明】
【００８９】
２Ａ  作業階のバルコニー
２Ｂ  上階のバルコニー
２Ｃ  下階のバルコニー
４    手摺り
１１  養生シート
１１ａ  上端部
１１ｂ  下端部
３１  支持線材
３２  下部線材
【図１】
2012097425.tif 000003
【図２】
2012097425.tif 000004
【図３】
2012097425.tif 000005
【図４】
2012097425.tif 000006
【図５】
2012097425.tif 000007
【図６】
2012097425.tif 000008
【図７】
2012097425.tif 000009
【図８】
2012097425.tif 000010
【図９】
2012097425.tif 000011
【図１０】
2012097425.tif 000012
【図１１】
2012097425.tif 000013
【図１２】
2012097425.tif 000014
【図１３】
2012097425.tif 000015
【図１４】
2012097425.tif 000016